(57)【特許請求の範囲】
【請求項１】
平板形状に形成されている接続対象物の先端部分の一面に所定の間隔をもって設けた複数の導電部に対向し前記接続対象物が押圧されることによって前記導電部に一対一に接続する複数の導電性コンタクトと、前記コンタクトを保持しているインシュレータと、前記接続対象物を前記導電部とは反対面から前記コンタクトへ押圧するよう移動可能に前記インシュレータに取り付けた絶縁性のスライダ部材とを含むコネクタにおいて、
前記コンタクトは、前記導電部に一対一に対向するよう互いに間隔をもってインシュレータに配列した接触部を有し、前記スライダ部材は、前記接続対象物を挿入可能な空間をもつ第１の位置で前記接触部に対向する第１のカム部と、前記接触部へ前記接続対象物を押圧し前記導電部を前記接触部に接続する第２の位置で前記接触部に対向する第２のカム部とを有し、前記スライダ部材が前記接触部の配列方向へ移動可能にかつ弾性を有する部材によって帯状かつエンドレスに形成されて前記インシュレータに取り付けられていることを特徴とするコネクタ。
【請求項２】
請求項１記載のコネクタにおいて、前記第１のカム部は、前記スライダ部材の板厚寸法を薄く形成した肉薄部を有し、前記第２のカム部は、前記スライダ部材の板厚寸法を前記肉薄部よりも厚い板厚寸法に形成した厚肉部とからなることを特徴とするコネクタ。
【請求項３】
請求項２記載のコネクタにおいて、前記スライダ部材は、前記肉薄部と前記厚肉部との接続部分における内面の少なくとも一方面が前記配列方向で前記肉薄部から前記厚肉部へと次第に厚肉となるよう形成した傾斜部を有していることを特徴とするコネクタ。
【請求項４】
請求項１記載のコネクタにおいて、前記インシュレータは、ベース板部と、該ベース板部の上方で前記接触部を介して前記ベース板部に対向しているスライダ保持板部と、前記ベース板部及び該スライダ保持板部間を接続した側板部とを有し、前記ベース板部、前記スライダ保持板部及び前記側板部によって前記コンタクトを収容する前記コンタクト収容部が形成されており、該コンタクト収容部は前記接続対象物の先端部分を挿入するよう開口されている嵌合部を有し、前記スライダ部材が前記スライダ保持板部の外面に対向し、かつ前記側板部の外面及び前記ベース板部の上方で前記接触部に対向し前記配列方向で移動するよう前記インシュレータに取り付けられていることを特徴とするコネクタ。
【請求項５】
請求項４記載のコネクタにおいて、前記側板部には前記第１及び第２のカム部を前記配列方向へ移動可能に貫通させ、かつ前記スライダ部材を取り付けるガイド穴が形成されていることを特徴とするコネクタ。
【請求項６】
請求項４記載のコネクタにおいて、前記スライダ保持板部の外面には、前記スライダ部材を前記配列方向へ移動可能に収容したスライダ溝部が形成されていることを特徴とするコネクタ。
【請求項７】
請求項４記載のコネクタにおいて、前記スライダ部材には、前記スライダ部材を前記配列方向へ移動させる操作部が設けられており、該操作部が前記第１の位置で前記スライダ保持板部上に位置している前記スライダ部材面に設けられていることを特徴とするコネクタ。
【請求項８】
請求項７記載のコネクタにおいて、前記操作部が前記第２のカム部に設けられていることを特徴とするコネクタ。
【発明の詳細な説明】
【０００１】
【発明の属する技術分野】
本発明は、ＦＰＣ（フレキシブル  プリンテッド  サーキット）やＦＦＣ（フレキシブル  フラット  ケーブル）などの平板形状に形成されている接続対象物を接続するコネクタに属する。
【０００２】
【従来の技術】
従来技術としては、ＦＰＣやＦＦＣなどの平板形状に形成されている接続対象物を押圧して接続対象物の導電部に接続するコンタクトを有するコネクタがある。
【０００３】
図９及び図１０に示した従来技術におけるコネクタは、複数の導電性のコンタクト１１１と、コンタクト１１１を保持しているインシュレータ１１３と、インシュレータ１１３に取り付けた絶縁性のスライダ部材１２１とを有している。
【０００４】
このコネクタは、図１０に示した接続対象物１３１を押圧して接続するものである。コンタクト１１１は、インシュレータ１１３に保持されている保持部１１１ａと、保持部１１１ａからスライダ部材１２１をインシュレータ１１３へ挿入する挿入方向Ａとは逆方向で一端側へ延びている接触部１１１ｂと、保持部１１１ａから接触部１１１ｂと同じ方向へ延びている支持部１１１ｆと、保持部１１１ａから挿入方向Ａで他端側へ延びている端子部１１１ｃとを有している。
【０００５】
インシュレータ１１３は、プリント回路基板のような基板２０１に設置されるように基板２０１に対向するベース板部１１３ａと、ベース板部１１３ａの上方でコンタクト１１１の支持部１１１ｆ及び接触部１１１ｂを介在しベース板部１１３ａに対向している天板部１１３ｂと、ベース板部１１３ａ及び天板部１１３ｂ間を接続した一対の側板部（図示せず）とを有している。
【０００６】
このインシュレータ１１３では、ベース板部１１３ａ、天板部１１３ｂ及び側板部１１３ｃ，１１３ｄによってコンタクトを収容するコンタクト収容部１３１ｆが形成されている。コンタクト収容部１３１ｆは、接続対象物１３１の先端部分を挿入するよう形成した開口されている嵌合部１１３ｇを有している。
【０００７】
コンタクト１１１の保持部１１１ａは、コンタクト収容部１３１ｆに圧入されて保持されている。接触部１１１ｂは、嵌合部１１３ｇで間隔をもって配列されている。コンタクト１１１の支持部１１１ｆは、ベース板部１１３ａに支持されている。端子部１１１ｃは、基板２０１に半田によって接続するようにインシュレータ１１１の外へ延びている。接続対象物１３１とコンタクト１１１とが相互に接続した時には、接続対象物１３１の導電部と基板２０１上に設けられている回路とが接続される。
【０００８】
また、接触部１１１ｂは、ばね性を有するものであり、嵌合部１１３ｇにおいて、天板部１１３ｂの内面から少し離間するように挿入方向Ａとは逆方向へ延びている。インシュレータ１１１の接触部１１１ｂの先端部分には、支持部１１１ｆへ向けて突出している接点部１１１ｇが形成されている。
【０００９】
スライダ部材１２１は、接触部１１１ｂと支持部１１１ｆとの間に挿入方向Ａで挿入される押圧部１２１ａと、押圧部１２１ａを嵌合部１１３ｇへ挿入若しくは嵌合部１１３ｇから引き出す操作部１２１ｂとを有している。
【００１０】
コンタクト１１１には、接続対象物１３１の先端部分がインシュレータ１１３へ挿入された後、接続対象物１３１を裏面からスライダ部材１２１の押圧部１２１ａをスライドさせて嵌合させると、接続対象物１３１が押圧されることによって接触部１１ｂの接点部１１１ｇが接続対象物１３１の導電部に接続する。なお、参照文献としては、特開平１１−３２９６１８号公報がある。
【００１１】
【発明が解決しようとする課題】
しかしながら、スライダ部材１２１をインシュレータ１１３のコンタクト収容部１３１ｆへ挿入する挿入方向Ａは、インシュレータ１１３の奥行き方向となっている。それ故に、コンタクト１１１の数が多い場合、全部のコンタクト１１１が同時にスライダ部材１２１によって押圧されるため、スライダ部材１２１の挿入力が増大する。
【００１２】
また、挿入力が増大することによって、耐えられるスライダ部材１２１の強度が必要になるので、コネクタが大型化してしまうという問題がある。
【００１３】
それ故に本発明の課題は、スライダ部材の操作性の向上を図り、挿入力を低減することができ、さらに小型化に適したコネクタを提供することにある。
【００１４】
【課題を解決するための手段】
本発明によれば、平板形状に形成されている接続対象物の先端部分の一面に所定の間隔をもって設けた複数の導電部に対向し前記接続対象物が押圧されることによって前記導電部に一対一に接続する複数の導電性コンタクトと、前記コンタクトを保持しているインシュレータと、前記接続対象物を前記導電部とは反対面から前記コンタクトへ押圧するよう移動可能に前記インシュレータに取り付けた絶縁性のスライダ部材とを含むコネクタにおいて、前記コンタクトは、前記導電部に一対一に対向するよう互いに間隔をもってインシュレータに配列した接触部を有し、前記スライダ部材は、前記接続対象物を挿入可能な空間をもつ第１の位置で前記接触部に対向する第１のカム部と、前記接触部へ前記接続対象物を押圧し前記導電部を前記接触部に接続する第２の位置で前記接触部に対向する第２のカム部とを有し、前記スライダ部材が前記接触部の配列方向へ移動可能にかつ弾性を有する部材によって帯状かつエンドレスに形成されて前記インシュレータに取り付けられていることを特徴とするコネクタが得られる。
【００１５】
【作用】
本発明のコネクタにおいては、接続対象物をインシュレータに接続する前に、インシュレータにおいて大きな隙間が形成されるので、この隙間に導電部が上になる状態で接続対象物の先端部分を無挿入力で挿入する。この状態が第１の位置である。
【００１６】
インシュレータに接続対象物の先端部分を挿入した後、スライダ部材を少しずつ配列方向へ移動させる。このとき、コンタクトの一番目の接触部をスライダ部材が接続対象物の裏面を押し上げるように移動し、導電部を接触部へ向けて押し上げる。さらに、第２のカム部が移動し、引き続き導電部を接触部へ向けて押し上げると、一番目の導電部と一番目の接触部とが相互に接続する。この際、接触部は押圧力によって少し撓んだ状態で導電部に接触する。
【００１７】
さらに、二番目の接触部に第２のカム部が移動し、引き続き導電部を二番目の接触部へ向けて押し上げると、二番目の導電部と二番目の接触部とが相互に接続する。以下、この移動操作することにより、二番目以降の導電部と二番目以降の接触部とが相互に接続する。
【００１８】
すべての導電部と接触部とが相互に接続された後は、第２のカム部がすべての導電部と接触部の下方に位置する。この状態が第２の位置である。
【００１９】
また、インシュレータに接続対象物が接続された状態から、接続対象物を取り外すときには、第２の位置から第１の位置へスライダ部材を操作すれば、第２のカム部による接続対象物への押圧力が次々に解除されていくので、接続対象物をインシュレータから引き出すことができる。
【００２０】
【発明の実施の形態】
以下、本発明に係るコネクタの一実施の形態例を説明する。図１は本発明に係るコネクタの一実施の形態例を示しており、後述する接続対象物をインシュレータへ挿入する前の状態を示している。図２は、図１に示したコネクタのスライダ部材を示している。図３及び図４は、図１に示したコネクタの断面を示している。
【００２１】
図１乃至図４を参照して、コネクタは、複数の導電性のコンタクト１１と、コンタクト１１を保持しているインシュレータ１３と、インシュレータ１３に取り付けた絶縁性のスライダ部材２１とを有している。
【００２２】
この実施の形態例におけるコネクタは、図１に示したＦＰＣ基板やＦＦＣ基板などの平板形状かつ帯状に作られている接続対象物３１を押圧して接続するものである。接続対象物３１は、帯状の薄いフィルム板３３と、このフィルム板３３の一面に配設されている配線パターン３４と、フィルム板３３の先端部分の一面に所定間隔をもって配列されて配線パターン３４に接続されている複数の導電部３７と、配線パターン３４を被覆しているカバーフィルム板３５と、フィルム板３３の先端部分の裏面に設けられている補強板３６とを有している。
【００２３】
ここで、接続対象物３１をインシュレータ１３へ挿入する方向を挿入方向Ａと呼び、挿入方向Ａに平行かつ挿入方向Ａを直交する方向を配列方向Ｂ，Ｃと呼ぶことにする。なお、配列方向Ｂ，Ｃは、図１に示したように第１の方向Ｂと、第１の方向Ｂとは逆向きである第２の方向Ｃとがある。
【００２４】
コンタクト１１は、図４によって構成が理解できるように、インシュレータ１３に保持されている保持部１１ａと、保持部１１ａから挿入方向Ａとは逆方向で一端側へ延びている接触部１１ｂと、保持部１１ａから接触部１１ｂと同じ方向へ延びている支持部１１ｆと、保持部１１ａから挿入方向Ａで他端側へ延びている端子部１１ｃとを有している。
【００２５】
このようなコンタクト１１は、導電板に打ち抜き加工を施すことによって作られており、複数のコンタクト１１の板面が対向するように、配列方向Ｂ，Ｃに向けられている。
【００２６】
インシュレータ１３は、プリント回路基板のような基板（図示せず）に設置されるように基板に対向するベース板部１３ａと、ベース板部１３ａの上方でコンタクト１１の支持部１１ｆ及び接触部１１ｂを介在しベース板部１３ａに対向しているスライダ保持板部１３ｂと、ベース板部１３ａ及びスライダ保持板部１３ｂ間を接続した一対の側板部１３ｃ，１３ｄとを有している。
【００２７】
このインシュレータ１３では、ベース板部１３ａ、スライダ保持板部１３ｂ及び側板部１３ｃ，１３ｄによってコンタクトを収容するコンタクト収容部１３ｆが形成されている。コンタクト収容部１３ｆは、接続対象物３１の先端部分を挿入するよう形成した開口されている嵌合部１３ｇを有している。
【００２８】
コンタクト１１の保持部１１ａは、コンタクト収容部１１ｆに圧入されて保持されている。接触部１１ｂは、嵌合部１３ｇに配列方向Ｂ，Ｃで互いに間隔をもって配列されている。コンタクト１１の支持部１１ｆは、ベース板部１３ａに支持されている。端子部１１ｃは、基板に半田によって接続するようにインシュレータ１１の外へ延びている。
【００２９】
また、接触部１１ｂは、ばね性を有するものであり、嵌合部１３ｇにおいて、スライダ保持板部１３ｂの内面から少し離間するように挿入方向Ａとは逆方向へ延びている。インシュレータ１１の接触部１１ｂの先端部分には、支持部１１ｆへ向けて突出している接点部１１ｇが形成されている。
【００３０】
スライダ部材２１は、スライダ保持板部１３ｂの外面に対向し、かつ側板部１３ｃ，１３ｄの外面及びベース板部１３ａの上方で接触部１１ｂに対向するようにインシュレータ１３に取り付けられている。
【００３１】
即ち、スライダ部材２１は、スライダ保持板部１３ｂの外面、側板部１３ｃ，１３ｄの外面、及びベース板部１３ａの上方かつ接触部１１ｂに対向して配列方向Ｂ，Ｃで移動可能となるようにインシュレータ１３に取り付けられている。
【００３２】
また、インシュレータ１３の側板部１３ｃ，１３ｄには、一対のホールドダウン４１を圧入によって保持する保持溝１３ｋが形成されている。ホールドダウン４１は、側板部１３ｃ，１３ｄから配列方向Ｂ，Ｃで外へ延出されている固定部４１ａがインシュレータ１３を実装する基板に固定される。
【００３３】
さらに詳細にスライダ部材２１の構成を図５乃至図７をも参照して説明する。スライダ部材２１は、接続対象物３１の先端部分を挿入可能な空間Ｓ１（図４を参照）をもつ第１の位置（図１乃至図４における位置）で接触部１１ｂに対向する第１のカム部２３と、接触部１１ｂへ接続対象物３１を押圧し導電部３７を接触部１１ｂに接続する第２の位置（図５乃至図７における位置）で接触部１１ｂに対向する第２のカム部２４とを有している。
【００３４】
第１及び第２の位置では、第１のカム部２３と第２のカム部２４が対向する構成となっている。スライダ部材２１は、例えば、弾性を有する部材であり、塩化ビニールのような樹脂材によって帯状かつエンドレスに作られており、配列方向Ｂ，Ｃへ移動可能にインシュレータ１３に取り付けられている。
【００３５】
スライダ部材２１は、接続対象物３１が挿入可能な空間Ｓ１をもつ第１の位置と、接触部１１ｂへ接続対象物３１を押圧させた状態で導電部３７を接触部１１ｂに接続する第２の位置とで交互に移動可能にインシュレータ１３に取り付けられている。
【００３６】
第１のカム部２３は、スライダ部材２１の板厚寸法を薄く形成した肉薄部２３ａを有している。第２のカム部２４は、おけるスライダ部材２１の板厚寸法を肉薄部２３ａよりも厚い板厚寸法に形成した厚肉部２４ａとを有している。
【００３７】
また、スライダ部材２１には、肉薄部２３ａと厚肉部２４ａとの接続部分における内面が配列方向Ｂ，Ｃで、肉薄部２３ａから厚肉部２４ａへと次第に厚肉となるように傾斜部２５ａ，２５ｂが形成されている。
【００３８】
インシュレータ１３の側板部１３ｃ，１３ｄには、スライダ部材２１の第１及び第２のカム部２３，２４を配列方向Ｂ，Ｃへ移動可能に貫通させ、かつスライダ部材２１を取り付けるガイド穴１３ｊが形成されている。ガイド穴１３ｊは、一対のホールドダウン４１を圧入によって保持する保持溝１３ｋに連続して形成されており、スライダ部材２１を嵌合部１３ｇ側のインシュレータ１３の端面から挿入することによってインシュレータ１３に取り付けられる。
【００３９】
スライダ保持板部１３ｂの外面には、スライダ部材２１を配列方向Ｂ，Ｃへ移動可能に収容したスライダ溝部１３ｍが形成されている。スライダ部材２１には、スライダ部材２１を配列方向Ｂ，Ｃへ移動させる操作部２６が設けられている。操作部２６は、第１の位置でスライダ保持板部１３ｂ上に位置しているスライダ部材２１の第２のカム部２４に設けられている。
【００４０】
なお、操作部２６は、第２のカム部２４上に突出するように設けられているが、第２のカム部２４の厚圧部２４ａが厚肉であることから、厚肉部２４ａの外面を凹凸形状に形成するようにしてもよい。
【００４１】
以下に、コネクタに接続対象物３１を接続する操作について説明する。図１乃至図４を参照して、まず、図１に示したように、接続対象物３１をコネクタに接続する前に、操作部２６を指もしくは工具によって第２の方向Ｃ（図１の紙面における右側）へ移動させておく。この際、操作部２６は、スライダ保持板部１３ｂと一方の側板部１３ｃとの接続部分まで移動させておく。このとき、第１のカム部２３は、コンタクト収容部１３ｆに位置し、肉薄部２３ａが接点部１１ｇを含む接触部１１ｂの下方に位置している。また、第２のカム部２４は、側板部１３ｃ，１３ｄの外側からスライダ保持板部１３ｂのスライダ溝部１３ｍにかけて位置している。
【００４２】
したがって、接点部１１ｇと第２のカム部２４との間には、嵌合部１３ｋにおいて大きな隙間Ｓ１が形成されることになり、この隙間Ｓ１に接続対象物３１の先端部分に位置している導電部３７を上向きにした状態で、無挿入力で挿入することができる。この状態が第１の位置である。
【００４３】
嵌合部１３ｋに接続対象物１３の先端部分を挿入した後、図１に示した操作部２６を第１の方向Ｂへ少しずつ移動させる。このとき、図３に示した配列方向Ａ，Ｂにおいて左端側に位置しているコンタクト１１の一番目の接触部１１ｂを、スライダ部材２１の一方の傾斜部２５ａが補強部材３６の裏面を押し上げるように第１の方向Ｃへ移動し、導電部３７を接触部１１ｂへ向けて押し上げる。
【００４４】
さらに、一方の傾斜部２５ａから第２のカム部２４の厚肉部２４ａが第１の方向Ｃへ移動し、引き続き導電部３７を接触部１１ｂへ向けて押し上げると、一番目の導電部３７と一番目の接触部１１ｂのの接点部１１ｇとが相互に接続する。この際、接触部１１ｂは押圧力によって少し撓んだ状態で導電部３７に接触する。
【００４５】
さらに、二番目の接触部１１ｂを一方の傾斜部２６ａから第２のカム部２４の厚肉部２４ａが第１の方向Ｃへ移動し、引き続き導電部３７を二番目の接触部１１ｂへ向けて押し上げると、二番目の導電部３７と二番目の接触部１１ｂの接点部１１ｇとが相互に接続する。以下、操作部２６を第１の方向Ｂへ操作することにより、二番目以降の導電部３７と二番目以降の接触部１１ｂの接点部１１ｇとが相互に接続する。
【００４６】
すべての導電部３７と接触部１１ｂの接点部１１ｇとが相互に接続された後は、操作部２６は、図５及び図６に示すように、他方の側板部１３ｄとスライダ保持板部１３ｂとの接続部分にまで移動している。そして、この状態で、第２のカム部２４の厚肉部２４ａがすべての導電部３７と接触部１１ｂの下方に位置する。この状態が第２の位置である。図８には、インシュレータ１３の嵌合部１ｇに接続対象物３１先端部分が入り込み、すべての導電部３７がすべての接触部１１ｂの接点部１１ｇに接触している状態を示している。
【００４７】
また、図８に示したコネクタに接続対象物３１が接続された状態から、接続対象物３１を取り外すときには、操作部２６を図５に示した第２の位置から図１に示した第１の位置へ第２の方向Ｃで操作すれば、第２のカム部２４による接続対象物３１への押圧力が一方の傾斜部２５ａを介して次々に解除されていくので、接続対象物３１を嵌合部１３ｇから引き出すことができる。
【００４８】
【発明の効果】
以上説明したように、本発明におけるコネクタによれば、スライダ部材が接続対象物を挿入可能な空間をもつ第１の位置で接触部に対向する第１のカム部と、接触部へ導電部を押圧し接続させる第２の位置で接触部に対向する第２のカム部とを有し、スライダ部材が接触部の配列方向へ移動可能にエンドレスに形成されているので、接続対象物を嵌合部へ嵌合する際、導電部がスライダ部材の移動を配列方向にすることによって一つづつ接触部に接続され、押圧力が一つごとに増加するため、スライダ部材の操作性が向上する。
【００４９】
また、第１のカム部はスライダ部材の板厚寸法を薄く形成した肉薄部を有し、第２のカム部は、スライダ部材の板厚寸法を肉薄部よりも厚い板厚寸法に形成した厚肉部とし、肉薄部と厚肉部との接続部分における内面の少なくとも一方面が配列方向で肉薄部から厚肉部へと次第に厚肉となるよう形成した傾斜部を有しているので、接続対象物を嵌合部へ嵌合する際、導電部がスライダ部材の移動を配列方向にすることによって一つづつ滑らかに接触部に接続され、押圧力が一つごとに増加するため、スライダ部材の操作性が向上する。
【００５０】
また、インシュレータの側板部には、スライダ部材の第１及び第２のカム部を配列方向へ移動可能に貫通させ、スライダ部材を取り付けるガイド穴が形成されているので、インシュレータへスライダ部材を簡単に取り付けることができ、操作性に優れたコネクタを提供できる。
【００５１】
また、スライダ保持板部の外面には、スライダ部材を配列方向へ移動可能に収容したスライダ溝部が形成されているので、スライダ部材の移動を正確にできる。
【００５２】
さらに、スライダ部材には、スライダ部材を配列方向へ移動させる操作部が設け、操作部が第１の位置でスライダ保持板部上に位置しているスライダ部材面に設けられているので操作性に優れたコネクタを提供できる。
【図面の簡単な説明】
【図１】本発明に係るコネクタの一実施の形態例を示し、接続対象物をインシュレータへ挿入する前の状態を示す斜視図である。
【図２】図１に示したコネクタのスライダ部材を示す斜視図である。
【図３】図１に示したコネクタのII-II線断面図である。
【図４】図１に示したコネクタのIV-IV線断面図である。
【図５】図１のコネクタのスライダ部材を図１の第１の位置から第２の位置へ移動した状態を示す斜視図である。
【図６】図５に示したコネクタのVI-VI線断面図である。
【図７】図５に示したコネクタのVII-VII線断面図である。
【図８】図７に示したコネクタに接続対象物を接続した状態の断面図である。
【図９】従来のコネクタを示し、スライダ部材をインシュレータへ挿入する前の状態を示す断面図である。
【図１０】図９に示したコネクタに接続対象物を接続した状態を示す断面図である。
【符号の説明】
１１，１１１    コンタクト
１１ｂ，１１１ｂ    接触部
１１ｆ，１３１ｆ    コンタクト収容部
１３，１１３    インシュレータ
１３ａ，１１３ａ    ベース板部
１３ｂ    スライダ保持板部
１３ｃ，１３ｄ    側板部
１３ｇ，１１３ｇ    嵌合部
１３ｍ    スライダ溝部
２１，１２１    スライダ部材
２３    第１のカム部
２３ａ    肉薄部
２４    第２のカム部
２４ａ    厚肉部
２６    操作部
３１，１３１    接続対象物
３７    導電部
【図１】
0003671366.tif 000002
【図２】
0003671366.tif 000003
【図３】
0003671366.tif 000004
【図４】
0003671366.tif 000005
【図５】
0003671366.tif 000006
【図６】
0003671366.tif 000007
【図７】
0003671366.tif 000008
【図８】
0003671366.tif 000009
【図９】
0003671366.tif 000010
【図１０】
0003671366.tif 000011